(57)【要約】【課題】ユーザの入力操作が実際に受け付けられた旨をユーザに迅速に認識させることのできる表示装置を提供する。【解決手段】図４（ｃ）および図４（ｄ）に示すＬＥＤ０，ＬＥＤ１のそれぞれは、操作パネルの裏面側から表面側へと光を放つ発光ダイオードの状態である。時刻ｔ１において、ＬＥＤ１に対応する操作パネルの領域が押下されることで、ＬＥＤ０を消灯状態に切り替えることにより、ＬＥＤ０は立ち下がり期間Ｔ３を経て消灯状態となる。そして、時刻ｔ１から「１０００ｍｓｅｃ」が経過する時刻ｔ２に、ＬＥＤ０をステップ状に点灯状態に切り替えるとともに、ＬＥＤ１を消灯状態に切り替える。これにより、ＬＥＤ０が点灯状態となり、ＬＥＤ１が消灯状態となるため、ユーザは、時刻ｔ２以降には、押下によって切り替えが実際になされたことを容易に認識することができる。【選択図】  図４
2015026900.tif 000002
【特許請求の範囲】
【請求項１】
ユーザの入力操作を受け付ける入力部と、前記ユーザの入力操作に応じた表示を行う表示領域を有する表示部と、制御部とを備える表示装置において、
前記表示領域は、ユーザの入力操作に応じて指定される対象となる第１指定対象および第２指定対象のそれぞれに応じた各別の対象領域である第１対象領域および第２対象領域を含み、
前記制御部は、
前記指定対象が第１指定状態である場合、該指定対象に応じた前記対象領域を、点灯状態と消灯状態とが繰り返される点滅状態とする点滅制御手段と、
前記指定対象が第２指定状態である場合、該指定対象に応じた前記対象領域を、点灯状態とする点灯制御手段と、
前記第１指定対象および前記第２指定対象のそれぞれを、前記第１指定状態および前記第２指定状態のそれぞれである状態から、前記第２指定状態および前記第１指定状態のそれぞれである状態に切り替える指示が、ユーザの入力操作によってなされて且つ、該指示がなされた直後において前記第１対象領域が消灯状態とされている場合、前記切り替える指示がなされるタイミングである第１タイミング、前記第２対象領域が点灯状態から消灯状態に切り替わる第２タイミング、および前記第１対象領域が消灯状態から点灯状態に切り替わる第３タイミングについて、前記第１タイミングを基準とした前記第１タイミングと前記第２タイミングとの時間差よりも、前記第２タイミングを基準とした前記第２タイミングと前記第３タイミングとの時間差の方が小さい値となるように、前記第１タイミングに対して前記第２タイミングを遅延させる遅延制御手段とを備え、
前記時間差は、基準となるタイミングに対して未来方向のずれを正とし、過去方向のずれを負とするものであることを特徴とする表示装置。
【請求項２】
前記遅延制御手段は、前記切り替える指示がユーザの入力操作によってなされる場合、前記第１対象領域に対する制御を、前記点滅制御手段による制御から前記点灯制御手段による制御に切り替えるための切替処理の開始タイミングに対して、前記第２対象領域に対する制御を、前記点灯制御手段による制御から前記点滅制御手段による制御に切り替える切替処理の開始タイミングを遅延させることを特徴とする請求項１記載の表示装置。
【請求項３】
ユーザの入力操作を受け付ける入力部と、前記ユーザの入力操作に応じた表示を行う表示領域を有する表示部と、制御部とを備える表示装置において、
前記表示領域は、ユーザの入力操作に応じて指定される対象となる第１指定対象および第２指定対象のそれぞれに応じた各別の対象領域である第１対象領域および第２対象領域を含み、
前記制御部は、
前記指定対象が第１指定状態である場合、該指定対象に応じた前記対象領域を、点灯状態と消灯状態とが繰り返される点滅状態とする点滅制御手段と、
前記指定対象が第２指定状態である場合、該指定対象に応じた前記対象領域を、点灯状態とする点灯制御手段と、
前記第１指定対象および前記第２指定対象のそれぞれを、前記第１指定状態および前記第２指定状態のそれぞれである状態から、前記第２指定状態および前記第１指定状態のそれぞれである状態に切り替える指示が、ユーザの入力操作によってなされる場合、前記第１対象領域に対する制御を、前記点滅制御手段による制御から前記点灯制御手段による制御に切り替えるための切替処理の開始タイミングに対して、前記第２対象領域に対する制御を、前記点灯制御手段による制御から前記点滅制御手段による制御に切り替える切替処理の開始タイミングを遅延させる遅延制御手段とを備えることを特徴とする表示装置。
【請求項４】
前記遅延制御手段は、前記切り替える指示がなされた直後において前記第１対象領域が消灯状態とされている場合、前記第２対象領域が点灯状態から消灯状態に切り替わるタイミングを遅延させることを特徴とする請求項３記載の表示装置。
【請求項５】
前記遅延制御手段は、前記切り替える指示がユーザの入力操作によってなされる場合、該切り替える指示後、前記第１対象領域が消灯状態とされている期間が長い場合に短い場合と比較して、前記第２対象領域が点灯状態から消灯状態に切り替わるタイミングを遅延させることを特徴とする請求項４記載の表示装置。
【請求項６】
ユーザの入力操作を受け付ける入力部と、前記ユーザの入力操作に応じた表示を行う表示領域を有する表示部と、制御部とを備える表示装置において、
前記表示領域は、ユーザの入力操作に応じて指定される対象となる第１指定対象および第２指定対象のそれぞれに応じた各別の対象領域である第１対象領域および第２対象領域を含み、
前記制御部は、
前記指定対象が第１指定状態である場合、該指定対象に応じた前記対象領域を、点灯状態および消灯状態を繰り返す点滅状態とする点滅制御手段と、
前記指定対象が第２指定状態である場合、該指定対象に応じた前記対象領域を、点灯状態とする点灯制御手段と、
前記第１指定対象および前記第２指定対象のそれぞれを、前記第１指定状態および前記第２指定状態のそれぞれである状態から、前記第２指定状態および前記第１指定状態のそれぞれである状態に切り替える指示が、ユーザの入力操作によってなされる場合、該切り替える指示後、前記第１対象領域が消灯状態とされている期間が長い場合に短い場合と比較して、前記第２対象領域が点灯状態から消灯状態に切り替わるタイミングを遅延させる遅延制御手段を備えることを特徴とする表示装置。
【請求項７】
前記遅延制御手段は、前記切り替える指示がなされた直後において前記第１対象領域が消灯状態とされている場合、前記第２対象領域が点灯状態から消灯状態に切り替わるタイミングを前記第１対象領域が点灯状態とされるタイミング以降とすることを特徴とする請求項１，２または４記載の表示装置。
【請求項８】
発光部と、
該発光部に電力を供給する供給部とを備え、
前記供給部は、外部からの指令信号の入力に応じて、前記発光部への単位時間当たりの電力供給頻度を継続的に所定値以上とすることで前記点灯状態とする点灯状態処理、前記発光部への電力供給頻度を前記所定値以上とする状態と前記所定値未満とする状態とを繰り返すことで前記発光部の点灯状態および消灯状態を繰り返して前記点滅状態とする点滅状態処理、および前記発光部への電力供給頻度を前記所定値未満とすることで前記発光部を消灯状態とする消灯状態処理を実行するものであって且つ、前記点滅状態処理から前記点灯状態処理に切り替える場合、前記点灯状態処理の実行に先立ち、前記消灯状態処理を実行することを必要とするものであり、
前記点滅制御手段は、前記供給部に前記指令信号を出力することで前記対象領域を点滅状態とするものであり、
前記点灯制御手段は、前記供給部に前記指令信号を出力することで前記対象領域を点灯状態とするものであり、
前記制御部は、
前記供給部に前記指令信号を出力することで、前記供給部に前記消灯状態処理を実行させる消灯制御手段を備えることを特徴とする請求項１から７のいずれか１項に記載の表示装置。
【請求項９】
前記供給部は、前記点灯状態処理へと移行させるタイミングまでに前記点灯状態とされていなかった期間が所定時間となることを条件に前記点灯状態処理への切り替え指令を受け付け可能なものであり、
前記遅延制御手段は、前記第１対象領域に対する制御を、前記点滅制御手段による制御から、前記消灯制御手段による制御に切り替えた後、前記所定時間が経過することで、前記点灯制御手段による制御に切り替えることを特徴とする請求項８記載の表示装置。
【請求項１０】
ユーザの入力操作を受け付ける入力部と、前記ユーザの入力操作に応じた表示を行う表示領域を有する表示部と、制御部とを備える表示装置において、
前記表示領域は、ユーザの入力操作に応じて指定される対象となる第１指定対象および第２指定対象のそれぞれに応じた各別の対象領域である第１対象領域および第２対象領域を含み、
前記制御部は、
前記指定対象が第１指定状態である場合、該指定対象に応じた前記対象領域を、点灯状態および消灯状態を繰り返す点滅状態とする点滅制御手段と、
前記指定対象が第２指定状態である場合、該指定対象に応じた前記対象領域を、点灯状態とする点灯制御手段とを備え、
前記点滅制御手段は、前記消灯状態から切り替わるに伴って輝度を漸増させた後一定値とするものであって且つ、前記消灯状態に切り替わるに際して前記輝度を漸減させるものであり、
前記制御部は、
前記第１指定対象および前記第２指定対象のそれぞれを、前記第１指定状態および前記第２指定状態のそれぞれである状態から、前記第２指定状態および前記第１指定状態のそれぞれである状態に切り替える指示が、ユーザの入力操作によってなされるとき、前記第１対象領域に対する前記点滅制御手段による制御から前記点灯制御手段による制御への切り替えを、消灯状態からステップ状に点灯状態にすることで前記点灯制御手段による制御に切り替えることで実行し、前記第２対象領域に対する前記点灯制御手段による制御から前記点滅制御手段による制御への切り替えを、点灯状態から一旦ステップ状に消灯状態に切り替えた後、前記点滅制御手段による制御に切り替えることで実行し、前記切り替える指示がなされる時点で、前記点滅制御手段による制御が点灯状態となっている場合、前記第１対象領域の輝度を漸減させることで一旦消灯状態に移行させる切替手段を備えることを特徴とする表示装置。
【請求項１１】
前記第１指定状態は、前記指定対象が選択されている状態と前記指定対象が選択可能であるが選択されていない状態とのいずれか一方であり、前記第２指定状態は、前記指定対象が選択されている状態と前記指定対象が選択可能であるが選択されていない状態とのいずれか他方であり、
前記切り替える指示に対応する前記ユーザの入力操作は、選択可能な１の前記指定対象を指定する１の入力操作であることを特徴とする請求項１から１０のいずれか１項に記載の表示装置。
【発明の詳細な説明】
【技術分野】
【０００１】
本発明は、表示装置に関し、特に、ユーザの入力操作に応じた表示を行う表示装置に関する。
【背景技術】
【０００２】
例えば下記特許文献１にみられるように、ユーザの入力操作に応じて、選択可能な複数の機能のそれぞれの状態を、各別の表示領域に表示する表示装置が提案されている。詳しくは、選択されている機能に対応する表示領域を点滅表示し、残りの機能に対応する表示領域を点灯表示する。
【先行技術文献】
【特許文献】
【０００３】
【特許文献１】特開２００９−２０４１７５号公報
【発明の概要】
【発明が解決しようとする課題】
【０００４】
ところで上記装置では、選択可能な複数の機能のうちの１つが新たに選択される場合、新たに選択された機能に対応する表示領域を点灯状態から点滅状態に切り替えるとともに、点滅状態だった表示領域を点灯状態に切り替える必要が生じる。ここで、点滅状態だったものを点灯状態とするに際して、点灯状態への切替以前には点滅状態だったものが一時的な消灯状態であった場合等に上記選択がなされた後に消灯状態である期間と、点灯状態であったものが点滅状態への切替によって消灯状態となる期間とが重複することがある。そしてこの場合、重複する期間やそれに引き続く期間において、選択が更新されたとユーザに明確に認識させることに困難を伴い、ひいては選択が更新された旨をユーザが認識するのが遅れるという問題点があることが発明者らによって見出された。
【０００５】
本発明は、上記問題点を解決するためになされたものであり、その目的は、ユーザの入力操作が実際に受け付けられた旨をユーザに迅速に認識させることのできる表示装置を提供することにある。
【課題を解決するための手段】
【０００６】
この目的を達成するために、本発明は、ユーザの入力操作を受け付ける入力部と、前記ユーザの入力操作に応じた表示を行う表示領域を有する表示部と、制御部とを備える表示装置において、前記表示領域は、ユーザの入力操作に応じて指定される対象となる第１指定対象および第２指定対象のそれぞれに応じた各別の対象領域である第１対象領域および第２対象領域を含み、前記制御部は、前記指定対象が第１指定状態である場合、該指定対象に応じた前記対象領域を、点灯状態と消灯状態とが繰り返される点滅状態とする点滅制御手段と、前記指定対象が第２指定状態である場合、該指定対象に応じた前記対象領域を、点灯状態とする点灯制御手段と、前記第１指定対象および前記第２指定対象のそれぞれを、前記第１指定状態および前記第２指定状態のそれぞれである状態から、前記第２指定状態および前記第１指定状態のそれぞれである状態に切り替える指示が、ユーザの入力操作によってなされて且つ、該指示がなされた直後において前記第１対象領域が消灯状態とされている場合、前記切り替える指示がなされるタイミングである第１タイミング、前記第２対象領域が点灯状態から消灯状態に切り替わる第２タイミング、および前記第１対象領域が消灯状態から点灯状態に切り替わる第３タイミングについて、前記第１タイミングを基準とした前記第１タイミングと前記第２タイミングとの時間差よりも、前記第２タイミングを基準とした前記第２タイミングと前記第３タイミングとの時間差の方が小さい値となるように、前記第１タイミングに対して前記第２タイミングを遅延させる遅延制御手段とを備え、前記時間差は、基準となるタイミングに対して未来方向のずれを正とし、過去方向のずれを負とするものであることを特徴とする。
【発明の効果】
【０００７】
請求項１記載の表示装置では、第１指定対象が第１指定状態とされて且つ第２指定対象が第２指定状態とされる場合、第１対象領域が点滅制御手段によって点滅状態とされ、第２対象領域が点灯制御手段によって点灯状態とされる。これに対し、第１指定対象が第２指定状態とされて且つ第２指定対象が第１指定状態とされる場合、第１対象領域が点灯制御手段によって点灯状態とされ、第２対象領域が点滅制御手段によって点滅状態とされる。ここで、第１指定対象および第２指定対象のそれぞれを、第１指定状態および第２指定状態のそれぞれである状態から第２指定状態および第１指定状態のそれぞれである状態に切り替える場合、遅延制御手段により、第１タイミングを基準とした第１タイミングと第２タイミングとの時間差よりも第２タイミングを基準とした第２タイミングと第３タイミングとの時間差の方が小さくなるように設定する。これにより、第１タイミング以降において、第１対象領域と第２対象領域とがともに消灯状態となる期間を低減することができ、ひいてはユーザの入力操作が実際に受け付けられた旨をユーザに迅速に認識させることができる。
【０００８】
なお、「切り替える指示がなされた直後」とは、切り替える指示がなされた後であって且つ、第１対象領域が点灯状態に切り替わるタイミングよりも前のこととする。
【０００９】
請求項２記載の表示装置では、第１対象領域に対する制御を点滅制御手段による制御から点灯制御手段による制御に切り替えるための切替処理の開始タイミングが、第２対象領域に対する制御を点灯制御手段による制御から点滅制御手段による制御に切り替える切替処理の開始タイミングを遅延させる。これにより、第２対象領域が点灯状態から消灯状態に切り替わる第２タイミングを、ユーザの入力操作に起因した切替指示タイミングに対して遅延させることができる。このため、請求項１記載の表示装置の効果に加えて、第１タイミングに対して第２タイミングを適切に遅延させることができるという効果を奏する。
【００１０】
請求項３記載の表示装置では、第１指定対象が第１指定状態とされて且つ第２指定対象が第２指定状態とされる場合、第１対象領域が点滅制御手段によって点滅状態とされ、第２対象領域が点灯制御手段によって点灯状態とされる。これに対し、第１指定対象が第２指定状態とされて且つ第２指定対象が第１指定状態とされる場合、第１対象領域が点灯制御手段によって点灯状態とされ、第２対象領域が点滅制御手段によって点滅状態とされる。ここで、第１指定対象および第２指定対象のそれぞれを、第１指定状態および第２指定状態のそれぞれである状態から第２指定状態および第１指定状態のそれぞれである状態に切り替える場合、遅延制御手段により、第１対象領域に対する制御を点滅制御手段による制御から点灯制御手段による制御に切り替えるための切替処理の開始タイミングに対して、第２対象領域に対する制御を点灯制御手段による制御から点滅制御手段による制御に切り替える切替処理の開始タイミングが遅延される。これにより、第２対象領域が点灯状態から消灯状態に切り替わるタイミングを、ユーザの入力操作に起因した切替指示タイミングに対して遅延させることができる。このため、第１対象領域が消灯状態から点灯状態に切り替わるタイミングに、第２対象領域が点灯状態から消灯状態に切り替わるタイミングを近づけたり、第１対象領域が消灯状態から点灯状態に切り替わるタイミングよりも、第２対象領域が点灯状態から消灯状態に切り替わるタイミングを遅くしたりすることができる。これにより、切替指示がなされるタイミング以降において、第１対象領域と第２対象領域とがともに消灯状態となる期間を低減することができ、ひいてはユーザの入力操作が実際に受け付けられた旨をユーザに迅速に認識させることができる。
【００１１】
請求項４記載の表示装置では、切り替える指示がなされた直後に第１対象領域が消灯状態とされている場合、切り替える指示に伴って、第１対象領域と第２対象領域との双方が消灯状態となり、それらの相違を識別できない期間が長くなりやすいことに着目する。この点に鑑み、切り替える指示がなされた直後に第１対象領域が消灯状態とされている場合に、第２対象領域が点灯状態から消灯状態に切り替わるタイミングを遅延させる。これにより、請求項３記載の表示装置の効果に加えて、上記識別できない期間を低減することができるという効果を奏する。
【００１２】
なお、「切り替える指示がなされた直後」とは、切り替える指示がなされた後であって且つ、第１対象領域が点灯状態に切り替わるタイミングよりも前のこととする。
【００１３】
請求項５記載の表示装置では、切り替える指示がなされた後に第１対象領域が消灯状態とされている期間が長いほど、切り替える指示に伴って、第１対象領域と第２対象領域との双方が消灯状態となる期間が長くなる傾向があることに着目する。これら双方の領域がともに消灯状態となる期間が長い場合には、それらの相違を識別できない期間が長くなる。この点に鑑み、第１対象領域が消灯状態とされている期間が長い場合に短い場合と比較して、第２対象領域が点灯状態から消灯状態に切り替わるタイミングを遅延させることで、請求項４記載の表示装置の効果に加えて、第１対象領域が消灯状態とされている期間が長い場合であっても、双方の領域がともに消灯状態となる期間が長くなることを抑制することができるという効果を奏する。
【００１４】
請求項６記載の表示装置では、第１指定対象が第１指定状態とされて且つ第２指定対象が第２指定状態とされる場合、第１対象領域が点滅制御手段によって点滅状態とされ、第２対象領域が点灯制御手段によって点灯状態とされる。これに対し、第１指定対象が第２指定状態とされて且つ第２指定対象が第１指定状態とされる場合、第１対象領域が点灯制御手段によって点灯状態とされ、第２対象領域が点滅制御手段によって点滅状態とされる。ここで、切り替える指示がなされた後に第１対象領域が消灯状態とされている期間が長いほど、切り替える指示に伴って、第１対象領域と第２対象領域との双方が消灯状態となる期間が長くなる傾向があることに着目する。これら双方の領域がともに消灯状態となる期間が長い場合には、それらの相違を識別できない期間が長くなる。この点に鑑み、遅延制御手段により、第１対象領域が消灯状態とされている期間が長い場合に短い場合と比較して、第２対象領域が点灯状態から消灯状態に切り替わるタイミングを遅延させることで、第１対象領域が消灯状態とされている期間が長い場合であっても、双方の領域がともに消灯状態となる期間が長くなることを抑制することができるという効果を奏する。
【００１５】
請求項７記載の表示装置では、切り替える指示がなされた直後に第１対象領域が消灯状態とされている場合、切り替える指示に伴って、第１対象領域と第２対象領域との双方が消灯状態となり、それらの相違を識別できない期間が長くなりやすいことに着目する。この点に鑑み、遅延制御手段により、第２対象領域が点灯状態から消灯状態に切り替わるタイミングを第１対象領域が点灯状態とされるタイミング以降とすることで、請求項１，２，４記載の表示装置の効果に加えて、第１対象領域と第２対象領域との双方が消灯状態となることを回避することができるという効果を奏する。
【００１６】
なお、「切り替える指示がなされた直後」とは、切り替える指示がなされた後であって且つ、第１対象領域が点灯状態に切り替わるタイミングよりも前のこととする。
【００１７】
請求項８記載の表示装置では、発光部に電力を供給する供給部が、点滅状態処理から点灯状態処理に切り替える場合、点灯状態処理の実行に先立ち、消灯状態処理を実行することが必要なものを用いる。この場合、第１指定対象および第２指定対象のそれぞれを、第１指定状態および第２指定状態のそれぞれである状態から第２指定状態および第１指定状態のそれぞれである状態に切り替えると、第１対象領域と第２対象領域との双方が消灯状態となりやすく、この場合には、ユーザの入力操作が実際に受け付けられた旨をユーザが認識可能となるのが遅くなるおそれがある。このため請求項１から７のいずれか１項に記載の表示装置が備える遅延制御手段の利用価値が特に大きい。
【００１８】
請求項９記載の表示装置では、供給部として、点灯状態処理へと移行させるタイミングまでに前記点灯状態とされていなかった期間が所定時間となることを条件に前記点滅状態処理から前記点灯状態処理への切り替え指令を受け付け可能なものを採用する。この場合、消灯制御手段による制御に切り替えた後、所定時間が経過するときには上記切替指令を確実に受け付けることができる。したがって、請求項８記載の表示装置の効果に加えて、消灯状態とされている期間を実際に計時する処理を省きつつも、切替指令が受け付け可能であるときに切り替え指令を出すことができるという効果を奏する。
【００１９】
請求項１０記載の表示装置では、第１指定対象が第１指定状態とされて且つ第２指定対象が第２指定状態とされる場合、第１対象領域が点滅制御手段によって点滅状態とされ、第２対象領域が点灯制御手段によって点灯状態とされる。これに対し、第１指定対象が第２指定状態とされて且つ第２指定対象が第１指定状態とされる場合、第１対象領域が点灯制御手段によって点灯状態とされ、第２対象領域が点滅制御手段によって点滅状態とされる。ここで、第１指定対象および第２指定対象のそれぞれを、第１指定状態および第２指定状態のそれぞれである状態から第２指定状態および第１指定状態のそれぞれである状態に切り替える指示が、第１対象領域が点滅状態における点灯状態にあるときなされる場合、第１対象領域の輝度を漸減させることで一旦消灯状態とする一方、第２対象領域がステップ状に消灯状態とされる。このため、消灯状態への移行の仕方が相違することによって、ユーザは、ユーザの入力操作が実際に受け付けられた旨を認識することができる。
【００２０】
請求項１１記載の表示装置では、第１指定状態と第２指定状態とのそれぞれを、指定対象が選択されている状態と指定対象が選択可能であるが選択されていない状態とのそれぞれとする。ここで、選択可能ではあるが選択されていないものと、選択されているものとは、１の入力操作で切り替わることが可能である。このため、請求項１から１０のいずれか１項に記載の表示装置の効果に加えて、１の入力操作で指定状態の切り替えがなされる２つの対象領域について、その表示の相違をユーザに迅速に把握させることができるという効果を奏する。
【図面の簡単な説明】
【００２１】
【図１】第１の実施形態にかかるスキャナの構成を示すブロック図。
【図２】スキャナの操作パネルを示す図。
【図３】ＩＣに対する点滅指令等が有効となるタイミングを示すタイムチャート。
【図４】上記実施形態にかかる点灯、点滅切替処理を例示するタイムチャート。
【図５】メイン処理の手順を示すフローチャート。
【図６】点灯・点滅切替処理の手順を示すサブルーチン。
【図７】第２の実施形態にかかる点灯、点滅切替処理を例示するタイムチャート。
【図８】同実施形態にかかる点灯・点滅切替処理の手順を示すサブルーチン。
【図９】第３の実施形態にかかる点灯、点滅切替処理を例示するタイムチャート。
【図１０】第４の実施形態にかかる点灯、点滅切替処理を例示するタイムチャート。
【発明を実施するための形態】
【００２２】
＜第１の実施形態＞
以下、本発明にかかる第１の実施形態について、図面を参照しつつ説明する。
【００２３】
図１に、本実施形態にかかるスキャナ１０の構成を示す。
【００２４】
図示されるように、スキャナ１０は、ＣＰＵ１２、メモリ１４、スキャナ１６、操作パネル１８、ＩＣ２０、ＬＥＤ２２、ＵＳＢ（Universal Serial Bus）インターフェース（以下、「ＵＳＢ  ＩＦ」）２４、ネットワークインターフェース（以下、「ネットワークＩＦ」）２６、ＬＥＤ２８、および入出力ポート３０を備えている。ここで、ＣＰＵ１２、メモリ１４、スキャナ１６、操作パネル１８、ＩＣ２０、ＬＥＤ２２、ＵＳＢ  ＩＦ２４、ネットワークＩＦ２６は、入出力ポート３０を介して通信可能となっている。
【００２５】
メモリ１４は、ＣＰＵ１２によって実行されるプログラムや、プログラムが実行されるに際して演算されるデータを記憶する記憶装置である。スキャナ１６は、画像を読み取り、画像を表現する信号を生成して出力するハードウェア手段である。操作パネル１８は、静電容量変化を検出する静電容量式タッチパネルを備え、後述する複数のキー領域に対する操作を受け付ける。ＩＣ２０は、ＬＥＤ２８を駆動するための集積回路であり、ＬＥＤ２８は、ＩＣ２０によって駆動される発光ダイオードである。ＬＥＤ２２は、ＣＰＵ１２によって直接駆動される発光ダイオードである。ここで、ＩＣ２０の駆動対象が、ＬＥＤ２８に限られているのは、本実施形態では、ＬＥＤ２２およびＬＥＤ２８の数よりも、ＩＣ２０の駆動用端子の数の方が少ないためである。
【００２６】
ＵＳＢ  ＩＦ２４は、ＵＳＢによって外部装置との接続を可能とするインターフェースである。ネットワークＩＦ２６は、ネットワークを介して外部装置との接続を可能とするものである。
【００２７】
図２に、操作パネル１８の平面構成を示す。図示されるように、操作パネル１８は、複数（ここでは、４個を例示）のキー領域４０〜４６を有している。ここで、キー領域４０は、ＵＳＢ  ＩＦ２４を介して接続されるコンピュータに、スキャナ１６で読み取った画像に関するデータを出力する指令をユーザが入力するための領域である。キー領域４２は、ＵＳＢ  ＩＦ２４を介して接続されるＵＳＢメモリに上記データを出力する指令をユーザが入力するための領域である。キー領域４４，４６のそれぞれは、ネットワークＩＦ２６に接続されるネットワークを介して外部の各別のコンピュータに上記データを出力する指令をユーザが入力するための領域である。
【００２８】
ここで、上記指令の入力は、キー領域４０〜４６のいずれかにユーザがタッチすることで実行される。ここで、キー領域４０〜４６のそれぞれの裏面側には、ＬＥＤ２２，２８が設けられており、キー領域４０〜４６のそれぞれの裏面側からキー領域４０〜４６のそれぞれを介してユーザ側である表面側へと光を放つことが可能となっている。すなわち、ＬＥＤ２２，２８は、キー領域４０〜４６のそれぞれを介してその表面側へと独立に光を放つことができるように、４個の発光ダイオードからなる。詳しくは、ＬＥＤ２８は、キー領域４０〜４４のそれぞれを介してその表面側に独立に光を放つことができる３個の発光ダイオードを構成し、ＬＥＤ２２は、キー領域４６を介してその表面側に独立に光を放つことができる１個の発光ダイオードを構成する。そして、本実施形態では、キー領域４０〜４６のうち、指令の入力対象として選択可能なキー領域については、ＬＥＤ２２，２８が常時発光した状態となる点灯状態とする。また、指令が入力され、選択されたキー領域については、一時的な点灯状態と一時的な消灯状態とを交互に繰り返す点滅状態とする。このため、例えば、ＵＳＢ  ＩＦ２４を介して接続されるコンピュータに上記データを出力する旨が選択されている状態であって且つ、ＵＳＢメモリに上記データを出力することが選択可能である場合、キー領域４０，４２のそれぞれが、点滅状態および点灯状態のそれぞれとされる。この状態で、キー領域４２が押下されると、キー領域４０，４２のそれぞれが、点灯状態および点滅状態のそれぞれとされる状態に切り替わる。
【００２９】
ただし、キー領域４０，４２のそれぞれが、点滅状態および点灯状態のそれぞれとされる状態から、点灯状態および点滅状態のそれぞれとされる状態に切り替えるには、ＩＣ２０の都合上、一旦、キー領域４０，４２のそれぞれを消灯状態とする必要がある。次に、図３を用いて、これについて説明する。
【００３０】
図３（ａ）は、ＩＣ２０による点滅状態のパターンを示すものである。点滅状態は、消灯状態からの立ち上がり期間Ｔ２、点灯状態とされる期間Ｔ１、点灯状態から消灯状態への立ち下り期間Ｔ３、消灯状態とされる期間Ｔ４のそれぞれの期間を繰り返すものである。ここで、立ち上がり期間や立ち下り期間においては、ＬＥＤ２８に対する電力の供給、遮断を極短時間の間に繰り返すＰＷＭ処理を行っている。このため、この期間においては、ＬＥＤ２８は点灯と消灯とを繰り返しているのであるが、ユーザには常時発光していると認識される。ここで、単位時間当たりの電力の供給頻度を漸増させることで単位時間当たりの発光量が漸増し立ち上がり期間となり、漸減させることで単位時間当たりの発光量が漸減し立ち下り期間となる。なお、本実施形態では、立ち上がり期間Ｔ２および立ち下がり期間Ｔ３のそれぞれを「３００ｍｓｅｃ」としており、点灯状態とされる期間Ｔ１を「１５００ｍｓｅｃ」としており、消灯状態とされる期間Ｔ４を「７００ｍｓｅｃ」としている。
【００３１】
上記ＩＣ２０は、点滅状態や点灯状態への切り替えに際して、一旦消灯状態を経由する必要があるのみならず、消灯状態とされる期間が、立ち下り期間Ｔ３と消灯状態とされる期間Ｔ４との長さの和である「１０００ｍｓｅｃ」となるまでは、切替の指令信号を受け付けない。図３（ｂ）は、点滅状態における一時的な点灯状態の終了時に消灯状態に切り替えることで、立ち下り期間Ｔ３の後消灯状態となる例を示している。この場合、消灯状態への切り替えタイミングから「１０００ｍｓｅｃ」経過することで、点灯状態や点滅状態への切り替え指令が受け付け可能となる。図３（ｃ）は、点滅状態における一時的な点灯状態の途中で消灯状態に切り替えることで、立ち下り期間Ｔ３の後消灯状態となる例を示している。この場合、消灯状態への切り替えタイミングから「１０００ｍｓｅｃ」経過することで、点灯状態や点滅状態への切り替え指令が受け付け可能となる。図３（ｄ）は、選択可能を示す状態である点灯状態であったものを消灯状態に切り替える例を示している。この場合、消灯状態への切り替えタイミングから「１０００ｍｓｅｃ」経過することで、点灯状態や点滅状態への切り替え指令が受け付け可能となる。なお、選択可能を示す状態である点灯状態から消灯状態に切り替える場合には、ＰＷＭ処理による立ち下がり期間Ｔ３を設けず、ステップ状に消灯状態とされる。ちなみに、ここでは図示しないが、ＩＣ２０は、消灯状態から選択可能を示す点灯状態に切り替える場合には、ＰＷＭ処理による立ち上がり期間Ｔ２を設けず、ステップ状に点灯状態に移行させる一方、消灯状態から点滅状態に切り替える場合には、立ち上がり期間Ｔ２を経て点灯状態へと移行させる。
【００３２】
ＩＣ２０にこのような制約があるため、本実施形態では、ユーザがキー領域４０〜４６のいずれかを押下した後、ユーザが切り替わりを認識するまでに時間がかかるという問題が生じた。以下、これについて、図４（ａ）および図４（ｂ）に基づき説明する。
【００３３】
図４（ａ）、図４（ｂ）は、ＬＥＤ２２，ＬＥＤ２８のうち、キー領域４０〜４６のいずれか２つの領域を各別に点灯させる２個の発光ダイオードの状態を、それぞれＬＥＤ０，ＬＥＤ１の状態として示している。この例では、ＬＥＤ０が、当初、点滅状態とされており、ＬＥＤ１が選択可能であることを示す点灯状態とされている。ここで、時刻ｔ１において、ＬＥＤ１に対応する領域が押下されることで、ＬＥＤ０，ＬＥＤ１を同時に消灯状態に切り替える場合、ＬＥＤ０は立ち下がり期間Ｔ３を経て消灯状態となり、ＬＥＤ１は直ちに消灯状態となる。そして、時刻ｔ１から「１０００ｍｓｅｃ」が経過する時刻ｔ２において、ＬＥＤ０をステップ状に点灯状態に切り替えるとともに、ＬＥＤ１を点滅状態とすると、ＬＥＤ１は立ち上がり期間Ｔ２を経て点灯状態となる。ここで、時刻ｔ１と時刻ｔ２との間の期間においては、ＬＥＤ０とＬＥＤ１との双方が消灯またはそれに近い発光量（輝度）とされるため、双方の相違を識別することは困難である。また、時刻ｔ２から、ＬＥＤ１が一時的な点灯状態を終了する時刻ｔ３までの間は、ＬＥＤ０とＬＥＤ１との双方が点灯状態またはそれに近い発光量（輝度）とされるため、双方の相違を識別することは困難である。したがって、時刻ｔ１に切り替え指令のための入力操作としてキーを押下したユーザは、時刻ｔ３以前には、押下によって切り替えが実際になされたか否かを認識することが困難となる。
【００３４】
そこで本実施形態では、図４（ｃ）および図４（ｄ）に示すように、ＬＥＤ０の消灯状態への移行後の点灯状態への切り替えタイミングに同期させてＬＥＤ１を点灯状態から消灯状態へ移行させる。すなわち、時刻ｔ１において、ＬＥＤ１に対応する領域が押下されることで、ＬＥＤ０を消灯状態に切り替えることにより、ＬＥＤ０は立ち下がり期間Ｔ３を経て消灯状態となる。そして、時刻ｔ１から「１０００ｍｓｅｃ」が経過する時刻ｔ２において、ＬＥＤ０をステップ状に点灯状態に切り替えるとともに、ＬＥＤ１を消灯状態に切り替える。これにより、ＬＥＤ０が点灯状態となり、ＬＥＤ１が消灯状態となるため、時刻ｔ１に切り替え指令のための入力操作としてキーを押下したユーザは、時刻ｔ２以降には、押下によって切り替えが実際になされたことを容易に認識することができる。
【００３５】
図５に、図４（ｃ）および図４（ｄ）に示した処理の手順を示す。この処理は、スキャナ１０に電源が投入されているときにＣＰＵ１２によって実行される。
【００３６】
この一連の処理では、ＣＰＵ１２は、まず、キー領域４０〜４６のうち、点滅状態にあるもの以外について、点灯状態とする条件が成立しているか否かを、すなわち、選択可能であるか否かを確認する（Ｓ１０）。次に、ＣＰＵ１２は、上記確認の結果、点灯状態とする条件を満たすＫＥＹを点灯状態とする（Ｓ１２）。次に、ＣＰＵ１２は、上記確認の結果、点灯状態とする条件を満たさないＫＥＹを消灯状態とする（Ｓ１４）。ここで、Ｓ１０の確認処理によって、新たに条件を満たすものが生じたり満たさないものが生じたりするのは、ＵＳＢ  ＩＦ２４への外部装置の接続または切断がなされたり、ネットワークＩＦ２６を介した外部装置との通信が可能となったり不可能となったりするためである。なお、スキャナ１０がスリープ状態から復帰した直後においては、キー領域４０〜４６のうち選択可能なもの全てを一旦点灯状態としたのち、選択されているものを点滅状態とすればよい。ここで、点灯状態への移行は、上記ＰＷＭ処理によって、発光量を漸増させることで点灯状態へと移行させるものであってもよい。この場合、漸増させている期間においては、その領域を押下しても選択を受け付けないようにしてもよい。
【００３７】
続いて、ＣＰＵ１２は、操作パネル１８からの信号に基づき、キー領域４０〜４６のいずれかの押下が検出されたか否かを判断する（Ｓ１６）。そしてＣＰＵ１２は、押下が検出されたと判断する場合（Ｓ１６：Ｙｅｓ）、押下されたものが、点灯状態にあったか否かを判断する（Ｓ１８）。そしてＣＰＵ１２は、押下されたものが点灯状態にないと判断する場合（Ｓ１８：Ｎｏ）、この一連の処理を一旦終了する。これに対しＣＰＵ１２は、押下されたものが点灯状態にあると判断する場合（Ｓ１８：Ｙｅｓ）、キー領域４０〜４６に点滅状態のものがあるか否かを判断する（Ｓ２０）。ＣＰＵ１２は、点滅状態のものがないと判断する場合（Ｓ２０：Ｎｏ）、キー領域４０〜４６のうち押下されたものを点滅状態へと切り替える（Ｓ２２）。ここで、押下されたものを点滅状態へと直ちに切り替えるのは、点滅状態となっているものがない状態で、選択可能を示す点灯状態にあるものが押下された場合、図４（ａ），（ｂ）に示した問題が生じないためである。
【００３８】
これに対しＣＰＵ１２は、キー領域４０〜４６に点滅状態のものがあると判断する場合（Ｓ２０：Ｙｅｓ）、図４（ｃ），（ｄ）に示したように、点灯・点滅切替処理を実行する（Ｓ２４）。図６に、この処理の詳細を示す。
【００３９】
この一連の処理では、ＣＰＵ１２は、まず、キー領域４０〜４６のうち点滅状態にあるもの（ＯＬＤ  ＫＥＹ）を、消灯状態に切り替える（Ｓ４０）。続いてＣＰＵ１２は、ＩＣ２０が点灯状態への切り替え指令を受け付けるようになるまでに要する時間である「１０００ｍｓｅｃ」だけ待機する（Ｓ４２）。これは、ＩＣ２０に、図３（ｂ）および図３（ｃ）に示した特性があることに鑑みたものである。なお、ＯＬＤ  ＫＥＹが点滅状態における一時的な消灯状態にあるときに消灯状態への切り替え指令を出す場合には、実際には、切替指令を出すタイミングまでに消灯状態であった期間だけ、「１０００ｍｓｅｃ」よりも短い時間経過することで、ＩＣ２０は、点灯状態への切り替え指令を受け付け可能である。しかし、本実施形態では、ＩＣ２０がＬＥＤ２８を点灯状態と点滅状態とを交互に繰り返す点滅状態処理におけるどの位相にあるのかを、ＣＰＵ１２が把握することなく簡易な制御を行うことを狙っている。このため、Ｓ４２の処理では、一律「１０００ｍｓｅｃ」だけ待機することにした。
【００４０】
続いてＣＰＵ１２は、キー領域４０〜４６のうち押下されたもの（ＮＥＷ  ＫＥＹ）を、消灯状態に切り替える（Ｓ４４）。続いてＣＰＵ１２は、ＯＬＤ  ＫＥＹを、選択可能を示す点灯状態とする（Ｓ４６）。そしてＣＰＵ１２は、ＩＣ２０がＮＥＷ  ＫＥＹを点滅状態に切り替える指令を受け付けるようになるまでに要する時間である「１０００ｍｓｅｃ」待機する（Ｓ４８）。次にＣＰＵ１２は、点滅状態処理をＩＣ２０によって行うか否かを判断する（Ｓ５０）。この処理は、キー領域４０〜４６のうち押下されたものが、ＬＥＤ２８によって点灯されるものであるか否かを判断するものである。すなわち、押下されたものがキー領域４０〜４４のいずれかであるか否かを判断するものである。そしてＣＰＵ１２は、ＩＣ２０によって行うと判断する場合（Ｓ５０：Ｙｅｓ）、ＮＥＷ  ＫＥＹを点滅状態とする処理を開始するようにＩＣ２０に指令信号を出力する（Ｓ５２）。これにより、ＩＣ２０は、立ち上がり期間Ｔ２（３００ｍｓｅｃ）、点灯状態とされる期間Ｔ１（１５００ｍｓｅｃ）、立ち下がり期間Ｔ３（３００ｍｓｅｃ）、および消灯状態とされる期間（７００ｍｓｅｃ）を周期的に繰り返す点滅状態処理を開始する。なお、ＣＰＵ１２は、この処理が終了する場合、上記点灯・点滅切替処理を一旦終了する。
【００４１】
これに対しＣＰＵ１２は、点滅状態処理をＩＣ２０によって行わないと判断する場合（Ｓ５０：Ｎｏ）、ＯＬＤ  ＫＥＹの点滅状態処理のために登録してあるソフトタイマを削除する（Ｓ５４）。ここで、ソフトタイマは、所定時間が経過することでその旨を通知する処理を、ソフトウェア処理によって実現したものである。続いて、ＮＥＷ  ＫＥＹの点滅状態処理を開始すべく、ＮＥＷ  ＫＥＹを点灯状態とする（Ｓ５６）。そしてＣＰＵ１２は、「１８００ｍｓｅｃ」後に点灯終了が通知されるソフトタイマを登録し（Ｓ５８）、上記点灯・点滅切替処理を一旦終了する。
【００４２】
ＣＰＵ１２は、図５のＳ１６において、押下が検出されていないと判断する場合（Ｓ１６：Ｎｏ）、ソフトタイマの通知が検出されたか否かを判断する（Ｓ２６）。そしてＣＰＵ１２は、ソフトタイマの通知が検出されないと判断する場合（Ｓ２６：Ｎｏ）、上記Ｓ１０の処理に戻る。これに対しＣＰＵ１２は、ソフトタイマの通知が検出されたと判断する場合（Ｓ２６：Ｙｅｓ）、ソフトタイマの通知が点灯状態を終了する旨の通知であるか否かを判断する（Ｓ２８）。そしてＣＰＵ１２は、点灯状態を終了する旨の通知であると判断する場合（Ｓ２８：Ｙｅｓ）、点灯終了対象のＫＥＹを消灯状態に切り替える（Ｓ３０）。この処理は、ソフト処理によって点滅状態処理を実行するためのものである。このため、点灯終了対象のＫＥＹとは、点滅状態処理の対象となるＫＥＹである。ちなみに、本実施形態では、ＩＣ２０を用いる場合と用いない場合とで点滅状態処理を同一とすべく、消灯状態への切り替えは、立ち下がり期間Ｔ３にわたるＰＷＭ処理の後に消灯状態処理を行うものとなる。次にＣＰＵ１２は、「１０００ｍｓｅｃ」後に消灯終了通知されるソフトタイマを登録し（Ｓ３２）、Ｓ１０の処理に戻る。
【００４３】
ＣＰＵ１２は、ソフトタイマの通知が点灯状態を終了する旨の通知ではないと判断する場合（Ｓ２８：Ｎｏ）、消灯状態を終了する旨の通知であるとして、消灯終了対象のＫＥＹを点灯状態に切り替える（Ｓ３４）。この処理は、ソフト処理によって点滅状態処理を実行するためのものである。このため、消灯終了対象のＫＥＹとは、点滅状態処理の対象となるＫＥＹである。ちなみに、本実施形態では、ＩＣ２０を用いる場合と用いない場合とで点滅状態処理を同一とすべく、点灯状態への切り替えは、立ち上がり期間Ｔ２にわたるＰＷＭ処理の後に点灯状態処理を行うものとなる。そしてＣＰＵ１２は、「１８００ｍｓｅｃ」後に点灯終了通知されるソフトタイマを登録する（Ｓ３６）。
【００４４】
以上説明した本実施形態によれば、以下の効果が得られるようになる。
【００４５】
（１）ＬＥＤ０，ＬＥＤ１のそれぞれが点滅状態および点灯状態のそれぞれである状態から点灯状態および点滅状態のそれぞれである状態に切り替える場合、ＬＥＤ０を消灯状態に切り替えた後、ＬＥＤ０が選択可能を示す点灯状態へと切り替えるタイミングに同期してＬＥＤ１を消灯状態に切り替えた。これにより、ＬＥＤ０，ＬＥＤ１の双方が消灯状態となる期間がないことから、ユーザの入力操作が実際に受け付けられた旨をユーザに迅速に認識させることができる。
【００４６】
（２）点滅状態から選択可能を示す点灯状態への切り替えや、選択可能を示す点灯状態から点滅状態への切り替えに際し、一旦、所定時間にわたって消灯状態とする必要があるＩＣ２０を用いた。この場合、ＬＥＤ０，ＬＥＤ１の双方が消灯状態となりやすく、この場合には、ユーザの入力操作が実際に受け付けられた旨をユーザが認識可能となるのが遅くなるおそれがある。このため、図４（ｃ），（ｄ）に示した処理の利用価値が特に大きい。
【００４７】
（３）ＬＥＤ０，ＬＥＤ１のそれぞれが点滅状態および点灯状態のそれぞれである状態から点灯状態および点滅状態のそれぞれである状態に切り替える場合、ＬＥＤ０を消灯状態に切り替えた後、「１０００ｍｓｅｃ」経過することで、ＬＥＤ０を選択可能を示す点灯状態へと切り替えるとともにＬＥＤ１を消灯状態に切り替えた。これにより、ＬＥＤ０を消灯状態に切り替える前の状態を把握することなく、簡易且つ確実に切替処理を実行することができる。
【００４８】
（４）選択可能を示す点灯状態にあるＬＥＤ１に対応する領域を押下する１の操作で、ＬＥＤ１を点滅状態に切り替えて且つ、ＬＥＤ０を選択可能を示す点灯状態に切り替えた。これにより、１の入力操作が確実に受け付けられたか否かは、ＬＥＤ０，ＬＥＤ１の双方の状態の相違を確認することで初めて認識される。このため、図４（ｃ），（ｄ）に示した処理の利用価値が特に大きい。
【００４９】
（５）ＩＣ２０によって駆動されないＬＥＤ２２についても、図４（ｃ），（ｄ）に示した処理の対象とした。これにより、ＬＥＤ２２とＬＥＤ２８とで動作に相違が生じる事態を回避することができる。
【００５０】
＜第２の実施形態＞
以下、第２の実施形態について、先の第１の実施形態との相違点を中心に図面を参照しつつ説明する。
【００５１】
図７に、本実施形態にかかる点灯・点滅切替処理を示す。本実施形態では、点灯状態にあるキーが押下されたタイミングにおいて、点滅状態にあるキーが一時的な消灯状態にある場合、押下タイミングまでに消灯状態とされていた期間が長い場合には、上記第１の実施形態とは相違する処理を実行する。
【００５２】
まず、比較のために、消灯状態とされていた期間が短い場合の例を、図７（ａ）および図７（ｂ）に示す。この場合の処理は、上記第１の実施形態と同一である。
【００５３】
図７（ａ）および図７（ｂ）は、ＬＥＤ２２，ＬＥＤ２８のうち、キー領域４０〜４６のいずれか２つの領域を各別に点灯させる２個の発光ダイオードの状態を、それぞれＬＥＤ０，ＬＥＤ１の状態として示している。この例では、ＬＥＤ０が、当初、点滅状態とされており、ＬＥＤ１が選択可能であることを示す点灯状態とされている。特に、この例では、ＬＥＤ０が立ち下がり期間Ｔ３を終えた時刻ｔ１に、ＬＥＤ１に対応する領域が押下される例を示している。この場合、「１０００ｍｓｅｃ」経過時に、ＬＥＤ０を点灯状態にするとともに、ＬＥＤ１を消灯状態に切り替える。そして、さらに「１０００ｍｓｅｃ」が経過する時刻ｔ３において、ＬＥＤ１を点滅状態に切り替えることで、ＬＥＤ１をＰＷＭ処理によって立ち上がり期間Ｔ２に移行させる。
【００５４】
次に、消灯状態とされていた期間が長い場合の例を、図７（ｃ）および図７（ｄ）に示す。
【００５５】
図７（ｃ）および図７（ｄ）は、ＬＥＤ２２，ＬＥＤ２８のうち、キー領域４０〜４６のいずれか２つの領域を各別に点灯させる２個の発光ダイオードの状態を、それぞれＬＥＤ０，ＬＥＤ１の状態として示している。この例では、ＬＥＤ０が、当初、点滅状態とされており、ＬＥＤ１が選択可能であることを示す点灯状態とされている。特に、この例では、ＬＥＤ０が立ち下がり期間Ｔ３を終えて消灯状態にある時刻ｔ４に、ＬＥＤ１に対応する領域が押下される例を示している。なお、この例では、ＬＥＤ１に対応する領域が押下されるタイミングを、ＬＥＤ０の立ち下がり期間Ｔ３と消灯状態となっていた期間との長さの和が「５００ｍｓｅｃ」以上となっているタイミングとしている。
【００５６】
この場合、時刻ｔ４においてＬＥＤ０およびＬＥＤ１を同時に直ちに消灯状態に切り替える。ここで、ＬＥＤ０については、消灯状態への切り替えとは、ＩＣ２０によって駆動されるＬＥＤ２８である場合には、ＩＣ２０に消灯状態とする旨の指令信号を出力することを意味する。そして「５００ｍｓｅｃ」が経過する時刻ｔ５において、ＬＥＤ０を点灯状態とする。さらに、「５００ｍｓｅｃ」が経過する時刻ｔ６において、ＬＥＤ１を点滅状態に切り替えることで、ＬＥＤ１をＰＷＭ処理によって立ち上がり期間Ｔ２に移行させる。
【００５７】
ここで、消灯状態とされていた期間が長い場合に、ＬＥＤ０およびＬＥＤ１を同時に直ちに消灯状態に切り替えるのは、双方が同一の状態（一時的な消灯状態）となる期間が短くなる（ここでは「５００ｍｓｅｃ」）ためである。これは、ＬＥＤ０を点灯状態に切り替え可能となるまでの時間が短いからである。このため、ＬＥＤ０およびＬＥＤ１を同時に直ちに消灯状態に切り替えることで、ＬＥＤ０およびＬＥＤ１の双方を切替後の状態に早期に移行させることができる。
【００５８】
図８に、本実施形態にかかる点灯・点滅切替処理の手順を示す。この処理は、図５のＳ２４の処理に対応する。ただし、図８の処理では、ＩＣ２０を用いた点灯・点滅切替処理についてのみ示す。なお、図８において、図６に示した処理に対応するものについては、便宜上同一のステップ番号を付している。
【００５９】
この一連の処理では、ＣＰＵ１２は、まず、Ｓ６０において、点灯状態および消灯状態を繰り返す点滅状態のＫＥＹ（ＯＬＤ  ＫＥＹ）が、現時点で一時的な点灯状態にあるか一時的な消灯状態にあるかを確認する（Ｓ６０）。続いてＣＰＵ１２は、ＯＬＤ  ＫＥＹが一時的な点灯状態になく、且つ一時的な点灯状態を終了した時点から「５００ｍｓｅｃ」を経過しているか否かを判断する（Ｓ６２）。この処理は、ＣＰＵ１２がＩＣ２０に対して点滅状態とする指令を出力してから、１８００ｍｓｅｃで初期化されるタイマと、１０００ｍｓｅｃで初期化されるタイマとを交互に起動させることで実現することができる。すなわち、ＣＰＵ１２は、１０００ｍｓｅｃで初期化されるタイマの値がしきい値（５００ｍｓｅｃ）以上である場合に、「５００ｍｓｅｃ」を経過していると判断すればよい。そしてＣＰＵ１２は、「５００ｍｓｅｃ」を経過していないと判断する場合（Ｓ６２：Ｎｏ）、図６のＳ４０〜Ｓ４８，Ｓ５２の処理を実行し、この一連の処理を一旦終了する。
【００６０】
これに対し、「５００ｍｓｅｃ」を経過していると判断する場合（Ｓ６２：Ｙｅｓ）、ＯＬＤ  ＫＥＹと、押下されたＫＥＹ（ＮＥＷ  ＫＥＹ）とを消灯状態に切り替える（Ｓ６４，Ｓ６６）。続いてＣＰＵ１２は、「５００ｍｓｅｃ」待機する（Ｓ６８）。これは、ＯＬＤ  ＫＥＹを点灯状態に切り替える指令をＩＣ２０が受け付けることができるようになるまで待つための処理である。ちなみに、Ｓ６２の判断処理がなされる時点において、点灯状態の終了時点から「５００ｍｓｅｃ」よりも長い時間が経過している場合には、Ｓ６８の処理において、待機する時間を短縮したとしても、点灯状態に切り替える指令をＩＣ２０が受け付けることができる。しかしここでは、処理を簡素化する目的で、Ｓ６２において否定判断された場合において、点灯状態に切り替える指令をＩＣ２０が受け付けることができる一律の時間を設定している。
【００６１】
続いてＣＰＵ１２は、ＯＬＤ  ＫＥＹを点灯状態に切り替える切替信号をＩＣ２０に出力する（Ｓ７０）。続いてＣＰＵ１２は、「５００ｍｓｅｃ」待機し（Ｓ７２）、Ｓ５２の処理に移行する。
【００６２】
以上説明した本実施形態によれば、先の第１の実施形態の上記（１）〜（５）の効果に準じた効果に加えて、さらに以下の効果が得られるようになる。
【００６３】
（６）選択する対象を切り替える指示がなされた後に消灯状態とされる期間が短い場合には、ＬＥＤ０を消灯状態に切り替えるのに同期して、ＬＥＤ１を消灯状態とした。これにより、ＬＥＤ０，ＬＥＤ１の双方が消灯状態とされる重複期間が短い場合に、ＬＥＤ０，ＬＥＤ１の双方を切替後の状態に早期に移行させることができる。
【００６４】
＜第３の実施形態＞
以下、第３の実施形態について、先の第１の実施形態との相違点を中心に図面を参照しつつ説明する。
【００６５】
本実施形態では、ＰＷＭ処理を用いない。そして、ＩＣ２０は、消灯状態にある期間が、点滅状態における一時的な消灯状態とされる期間Ｔ４以上となるまで切り替え指令を受け付けない構成とする。以下では、これについて図９を用いて説明する。
【００６６】
図９（ａ），（ｂ）は、ＬＥＤ２２，ＬＥＤ２８のうち、キー領域４０〜４６のいずれか２つの領域を各別に点灯させる２個の発光ダイオードの状態を、それぞれＬＥＤ０，ＬＥＤ１の状態として示している。この例では、ＬＥＤ０が、当初、点滅状態とされており、ＬＥＤ１が選択可能であることを示す点灯状態とされている。特に、この例では、ＬＥＤ０が一時的な点灯状態となる期間における時刻ｔ１に、ＬＥＤ１に対応する領域が押下される例を示している。この場合、ＬＥＤ０を直ちに消灯状態とした後、消灯状態となる期間Ｔ４の長さを有する時間が経過した時である時刻ｔ２に、ＬＥＤ０を点灯状態にするとともに、ＬＥＤ１を消灯状態に切り替える。そして、消灯状態となる期間Ｔ４の長さを有する時間が経過する時刻ｔ３において、ＬＥＤ１を点滅状態に切り替えることで、ＬＥＤ１を一時的な点灯状態に移行させる。この場合であっても、時刻ｔ２以降においては、ユーザは、ＬＥＤ１に対応する領域の押下に対応した切り替えがなされたことを容易に認識することができる。
【００６７】
図９（ｃ）および図９（ｄ）に、比較例を示す。図９（ｃ）、図９（ｄ）は、ＬＥＤ２２，ＬＥＤ２８のうち、キー領域４０〜４６のいずれか２つの領域を各別に点灯させる２個の発光ダイオードの状態を、それぞれＬＥＤ０，ＬＥＤ１の状態として示している。この例では、ＬＥＤ０が、当初、点滅状態とされており、ＬＥＤ１が選択可能であることを示す点灯状態とされている。ここで、時刻ｔ１において、ＬＥＤ１に対応する領域が押下されると、ＬＥＤ０，ＬＥＤ１を同時に消灯状態に切り替えることで、ＬＥＤ０，ＬＥＤ１の双方は、ステップ状に消灯状態に移行する。そして、時刻ｔ１から点滅状態における一時的な消灯状態となる期間Ｔ４が経過する時刻ｔ２において、ＬＥＤ０をステップ状に点灯状態に切り替えるとともに、ＬＥＤ１を点滅状態に切り替えると、ＬＥＤ０，ＬＥＤ１の双方ともステップ状に点灯状態となる。この場合、ＬＥＤ１が一時的な消灯状態となる時刻ｔ３となるまで、ＬＥＤ０とＬＥＤ１との双方の状態が同一となるため、双方の相違を識別することは困難である。したがって、時刻ｔ１に切り替え指令のための入力操作としてキーを押下したユーザは、時刻ｔ３以前には、押下によって切り替えが実際になされたか否かを認識することが困難となる。
【００６８】
＜第４の実施形態＞
以下、第４の実施形態について、先の第１の実施形態との相違点を中心に図面を参照しつつ説明する。
【００６９】
上記第１の実施形態では、図４（ｃ），（ｄ）に示したように、ＬＥＤ０の点灯状態への切り替えタイミングまでＬＥＤ１を消灯状態に切り替えるタイミングを遅延させた。これに対し、本実施形態では、ＬＥＤ１に対応する領域が押下されることで、ＬＥＤ０，ＬＥＤ１の双方を消灯状態に切り替える一方、点滅状態とされていたもののＰＷＭ処理を実行する期間を上記第１の実施形態のものよりも長くする。以下では、これについて図９を用いて説明する。
【００７０】
図１０（ａ）、図１０（ｂ）は、ＬＥＤ２２，ＬＥＤ２８のうち、キー領域４０〜４６のいずれか２つの領域を各別に点灯させる２個の発光ダイオードの状態を、それぞれＬＥＤ０，ＬＥＤ１の状態として示している。この例では、ＬＥＤ０が、当初、点滅状態とされており、ＬＥＤ１が選択可能であることを示す点灯状態とされている。ここで、時刻ｔ１において、ＬＥＤ１に対応する領域が押下されることで、ＬＥＤ０，ＬＥＤ１を同時に消灯状態に切り替える場合、ＬＥＤ０は立ち下がり期間Ｔ３を経て消灯状態となり、ＬＥＤ１は直ちに消灯状態となる。そして、時刻ｔ１から「Ｘｍｓｅｃ」が経過する時刻ｔ２において、ＬＥＤ０をステップ状に点灯状態に切り替えるとともに、ＬＥＤ１を点滅状態とすると、ＬＥＤ１は立ち上がり期間Ｔ２を経て点灯状態となる。ここで、時刻ｔ１から立ち下がり期間Ｔ３が経過するまでの間は、ＬＥＤ１は消灯状態である一方、ＬＥＤ０は、その発光量（輝度）が漸減する。ただし、この期間を長く設定する場合、これら双方の相違をユーザが認識しやすい。したがって、時刻ｔ１に切り替え指令のための入力操作としてキーを押下したユーザは、迅速かつ比較的容易に押下によって切り替えが実際になされたことを認識することができる。
【００７１】
なお、切り替え指令のための入力操作としてキーが押下されたタイミングが、点滅状態における一時的な消灯状態とされる期間Ｔ４である場合、選択可能を示す点灯状態にあったＬＥＤ１をステップ状に消灯状態とすることで消灯状態となる期間は共通となる。ただし、その後、ＬＥＤ０がステップ状に点灯状態とされる一方、ＬＥＤ１が立ち上がり期間Ｔ２となり、立ち上がり期間Ｔ２が長いため、ユーザは、押下によって切り替えが実際になされたことを認識することができる。
【００７２】
＜実施形態と手段との対応＞
入力部…操作パネル１８、表示部…操作パネル１８とＬＥＤ２２，２８、制御部…ＣＰＵ１２、発光部…ＬＥＤ２８、供給部…ＩＣ２０、対象領域…キー領域４０〜４６、点滅制御手段…Ｓ５２，ＳＳ２８〜Ｓ３６、点灯制御手段…Ｓ１２，Ｓ４６，Ｓ７０、遅延制御手段…Ｓ４８，Ｓ６８〜７２、消灯制御手段…Ｓ３０，Ｓ４４，Ｓ６４,Ｓ６６、切替手段…図１０
第１タイミング…図４、図７（ａ），（ｂ）、および図９における時刻ｔ１
第２タイミング…図４（ｃ），（ｄ）、図７（ａ），（ｂ）および図９（ａ），（ｂ）の時刻ｔ２
第３タイミング…図４、図７（ａ），（ｂ）および図９の時刻ｔ２
第１指定状態…選択された状態
第２指定状態…選択可能であるが選択されてはいない状態
第１対象領域…図４、図７、図９、図１０におけるＬＥＤ０に対応する領域
第２対象領域…図４、図７、図９、図１０におけるＬＥＤ１に対応する領域
指定対象…「ＵＳＢ  ＩＦ２４を介して接続されるコンピュータにデータを出力する機能」と、「ＵＳＢ  ＩＦ２４を介して接続されるＵＳＢメモリにデータを出力する機能」と、「ネットワークＩＦ２６に接続されるネットワークを介して外部のコンピュータにデータを出力する機能」
＜その他の実施形態＞
以上、上記実施形態に基づき本発明を説明したが、本発明は上記形態に何ら限定されるものではなく、本発明の趣旨を逸脱しない範囲内で種々の変形改良が可能であることは容易に推察できるものである。各実施形態は、それぞれ、他の実施形態が有する構成の一部または複数部分を、その実施形態に追加し或いはその実施形態の構成の一部または複数部分と交換等することにより、その実施形態を変形して構成するようにしてもよい。以下、上記実施形態の変形例としての実施形態を記載する。
【００７３】
上記第１の実施形態（図５）や、第３の実施形態（図９）においては、点灯状態にあるＫＥＹ（ＬＥＤ１）が押下されたタイミングにおいて、点滅状態にあるＫＥＹ（ＬＥＤ０）が一時的な点灯状態である場合と一時的な消灯状態である場合とで、点滅状態にあったＫＥＹ（ＬＥＤ０）を点灯状態に切り替えるまでの待ち時間が同一であったがこれに限らない。例えば、点滅状態にあるＫＥＹ（ＬＥＤ０）が一時的な点灯状態である場合と比較して一時的な消灯状態である場合に、点灯状態に切り替えるまでの待ち時間を短縮してもよい。特に、点滅状態にあるＫＥＹ（ＬＥＤ０）が一時的な消灯状態である場合、点灯状態の終了タイミングから上記押下されたタイミングまでの所要時間だけ上記待ち時間を短縮するなら、点灯状態に切り替えるまでの待ち時間をＩＣ２０の制約の範囲内で最短とすることができる。
【００７４】
上記第１の実施形態（図４）や、第３の実施形態（図９）においては、点灯状態にあるＫＥＹ（ＬＥＤ１）が押下され、点滅状態にあったＫＥＹ（ＬＥＤ０）を消灯させた後点灯させるタイミング（第３タイミング）を、押下されたＫＥＹ（ＬＥＤ１）の消灯タイミング（第２タイミング）としたが、これに限らない。例えば、第３タイミングよりも第２タイミングを遅延させてもよい。もっとも、これに限らず、例えば、第２タイミングを第３タイミングよりもわずかには先行させたとしても、ユーザが押下したキーへの切り替わりを迅速に認識することは可能である。この際、押下されたタイミング（第１タイミング）から第２タイミングまでの所要時間よりも、第２タイミングから第３タイミングまでの所要時間の方が小さくなるようにすることが望ましい。
【００７５】
上記第２の実施形態（図７）においては、押下されたＫＥＹを直ちに消灯するか否かを、点滅中のＫＥＹの点灯終了タイミングから「５００ｍｓｅｃ」経過しているか否かによって判断したがこれに限らない。点滅中のＫＥＹの点灯終了タイミングからの経過時間の条件をどう設定するかは、ユーザが押下されたＫＥＹへの切り替わりを早期に認識可能な範囲で適宜設定することができる。
【００７６】
上記第２の実施形態（図７）においては、Ｓ６８の処理において、Ｓ６２の処理で否定判断された場合にＯＬＤ  ＫＥＹに対する点灯状態への切替指令が確実に受け付けられるタイミングとして、「５００ｍｓｅｃ」待つこととしたが、これに限らない。例えば、点滅中のＫＥＹの点灯終了タイミングからの経過時間Ｔｘ（ｍｓｅｃ）を用いて、「１０００−Ｔｘ」待つこととしてもよい。また、この際、Ｓ７２の処理において、Ｓ６２の処理で否定判断された場合に押下されたＫＥＹに対する点滅状態への切替指令が確実に受け付けられるタイミングとして、「５００ｍｓｅｃ」待つことにしてもよいが、これに限らない。例えば、点滅中のＫＥＹの点灯終了タイミングからの経過時間Ｔｘ（ｍｓｅｃ）だけ待つこととしてもよい。
【００７７】
図３に示した特性を有するＩＣ２０を備えるものに限らない。例えば、点滅状態にあるキーを、消灯状態や点灯状態に切り替える指令が出される場合、点滅状態における点滅、消灯の一周期が完了するタイミングで切り替えられるものであってもよい。この場合、点滅状態にあるものが一時的な点灯状態から一時的な消灯状態に切り替わるタイミングで、点灯状態にあるキーが押下された場合、押下されたキーを直ちに消灯状態とすると、図４（ａ）および図４（ｂ）に示した現象が生じる。また、例えば、点滅状態にあるものを点灯状態に切り替えるに際して、一旦消灯状態とする必要がない場合であっても、切替指令に対して実際に切り替えが実行されるまでに要する遅延時間が比較的長いものにあっては、押下されたキーを直ちに点滅状態に切り替えることで、図４（ａ）および図４（ｂ）に示した現象が生じる。このため、こうしたものにおいても、図４（ｃ）および図４（ｄ）に示したように切り替えを行うことは有効である。具体的には、例えば、点滅状態にあるキーの消灯状態から点灯状態への切り替わりタイミングに同期して、押下されたキーを一旦消灯状態とすることで点滅状態への切り替えを行えばよい。
【００７８】
ＩＣ２０等の専用の駆動用集積回路が全ての発光ダイオードを駆動する構成でもよく、また、全ての発光ダイオードがＣＰＵ１２に直接駆動されるものであってもよい。
【００７９】
上記各実施形態では、点灯状態を、ＬＥＤ２２，２８に常時電力が供給される状態としたが、これに限らない。例えばＰＷＭ制御によって、単位時間当たりの電力供給頻度が所定値以上となる場合、所定値の設定によって、電力が常時供給される状態ではなくても、ユーザにとって継続的な発光がなされている状態と認識させることはできる。
【００８０】
上記実施形態では、スキャナ１０の上述したデータ出力機能のうち選択可能であるが選択されていない状態にＬＥＤ２２（２８）の点灯状態を割り当て、選択されている状態をＬＥＤ２２（２８）の点滅状態を割り当てたが逆でもよい。また、点滅状態と点灯状態とのそれぞれに、選択可能な状態と選択されている状態とを割り振るものにも限らない。
【００８１】
表示装置としては、スキャナに用いられるものに限らず、例えば、画像を印刷する機能やファクシミリ受信機能等を備えた多機能周辺装置に搭載されるものであってもよい。さらに、工作機械に搭載されるユーザインターフェースとしての表示装置であってもよい。
【００８２】
キー領域４０〜４６としては、上記実施形態において例示した構成に限らない。例えば、ディスプレイパネルおよびタッチパネルを重ねた構成であってもよい。また、入力部と表示部とが重ねられる構成にも限らず、例えば、入力部をボタンとして且つ、入力部が押下されることで、表示部の表示領域の表示を切り替えてもよい。
【符号の説明】
【００８３】
１０…スキャナ、１２…ＣＰＵ，１８…操作パネル、２０…ＩＣ、２２，２８…ＬＥＤ。
【図１】
2015026900.tif 000003
【図２】
2015026900.tif 000004
【図３】
2015026900.tif 000005
【図４】
2015026900.tif 000006
【図５】
2015026900.tif 000007
【図６】
2015026900.tif 000008
【図７】
2015026900.tif 000009
【図８】
2015026900.tif 000010
【図９】
2015026900.tif 000011
【図１０】
2015026900.tif 000012